(57)【特許請求の範囲】
【請求項１】
現金支払の会計処理を行うＰＯＳ装置において、
表示部と該表示部にタッチ式のキーが配置されたタッチ式表示器を設け、
会計時、請求金額と該請求金額に対して顧客が提示すると予測される予測預かり金額を複数通り前記タッチ式表示器に表示し、現実に顧客が提示した預かり金額に該当する金額の予測預かり金額が表示された部分をタッチすることにより、当該予測預かり金額を預かり金額として入力し、会計処理を行う手段を設けるとともに、タッチすると前記予測預かり金額のうち下位２桁がゼロの各金額に請求金額の下位２桁を加算して表示する下位２桁キーと、タッチすると前記予測預かり金額のうち下位１桁がゼロの各金額に請求金額の下位１桁を加算して表示する下位１桁キーとを設けたことを特徴とするＰＯＳ装置。
【発明の詳細な説明】
【０００１】
【発明の属する技術分野】
本発明は現金支払の会計処理を行うＰＯＳ装置に関し、特に預かり金の入力操作が容易にできるＰＯＳ装置に関するものである。
【０００２】
【従来の技術】
従来、この種のＰＯＳ装置においては、現金支払の会計処理を行う場合、売上げ合計金額（請求金額）を表示器に表示し、顧客がその表示を見るか或いはオペレータが告げた請求金額に対応して、相当金額の現金を預かり金として提示し、オペレータは該預かり金額を入力し、釣銭等の会計処理を行うのが普通である。従来のこの種のＰＯＳ装置では、キ−ボ−ドを操作して売上げ合計金額（請求金額）及び預かり金額を入力するが、キ−ボ−ドに一万円、千円、百円の各単位キ−を設け、キ−のタッチ回数を減らして操作が簡単になるように工夫されている。
【０００３】
【発明が解決しようとする課題】
しかしながら、上述した従来のＰＯＳ装置では“０”のキ−を押下する回数は減少するが、数値キ−や単位キ−の誤操作により、預かり金額を入力する際誤入力する恐れがあるという問題があった。
【０００４】
本発明は上述の点に鑑みてなされたもので、上記問題点を除去するために預かり金額をワンタッチで簡単にしかも正確に入力できるＰＯＳ装置を提供することを目的とする。
【０００５】
【課題を解決するための手段】
上記課題を解決するため本発明は、現金支払の会計処理を行うＰＯＳ装置において、表示部と該表示部にタッチ式のキーが配置されたタッチ式表示器を設け、会計時、請求金額と該請求金額に対して顧客が提示すると予測される予測預かり金額を複数通り前記タッチ式表示器に表示し、現実に顧客が提示した預かり金額に該当する金額の予測預かり金額が表示された部分をタッチすることにより、当該予測預かり金額を預かり金額として入力し、会計処理を行う手段を設けるとともに、タッチすると前記予測預かり金額のうち下位２桁がゼロの各金額に請求金額の下位２桁を加算して表示する下位２桁キーと、タッチすると前記予測預かり金額のうち下位１桁がゼロの各金額に請求金額の下位１桁を加算して表示する下位１桁キーとを設けたことを特徴とする。
【０００６】
【発明の実施の形態】
以下、本発明の実施の形態例を図面に基づいて詳細に説明する。図３は本発明のＰＯＳ装置の構成例を示す図である。図示するように、本発明のＰＯＳ装置は装置全体を制御するＣＰＵ１、表示部と該表示部にタッチ式のキーが配置されたタッチ式表示器２、通常のキー入力を行うキ−ボ−ド３、プログラム及び必要なデ−タ類を格納するメモリ４、外部機器と接続するためのインタフェ−ス５を具備している。メモリ４にはプログラム４−１、単位額テ−ブル４−２及び表示用デ−タ４−３等（詳細後述）が格納されている。
【０００７】
図１は本発明のＰＯＳ装置のタッチ式表示器２に表示される請求金額及び預かり予想金額の表示例を示す図である。図示するように、請求金額欄には品名毎に金額が表示され、更に消費税、その金額、合計、その金額等が表示される。また、予想金額欄には請求金額に対応して顧客から提示されると予想される預かり金の額が複数通り表示される。
【０００８】
図２（ａ）は預かり金額をタッチ式表示器に表示する預かり金表示フロー及び会計処理を行うフロ−を示す図、図２（ｂ）は単位額テーブル４−２（図３参照）例を示す図、図２（ｃ）は表示用データ４−３（図３参照）例を示す図である。以下、図２に基づいて預かり金額の表示及び会計処理のフロ−を説明する。
【０００９】
まず、預かり予想金額Ａとして請求金額（合計金額）を表示用デ−タとして格納する（ステップＳＴ１）。予想金額の末尾（≠０の桁）を単位額テ−ブル４−２と比較し、上からの位置（インデックスｉ）を求める（ステップＳＴ２）。
【００１０】
予想金額Ａ＝Ａ＋単位額テ−ブル（ｉ）を計算し（ステップＳＴ３）、予想金額Ａが単位額テ−ブル（ｉ＋１）の整数倍になるまで続ける（ステップＳＴ４）。整数倍になれば、更に単位額テ−ブル（ｉ＋２）の整数倍になるかをチェックし（ステップＳＴ５）、整数倍であればインデックスｉを更新し（ｉ＝ｉ＋１）（ステップＳＴ６）、予想金額Ａを表示用デ−タとして格納する（ステップＳＴ７）。
【００１１】
予想金額Ａが１０，０００円以上（Ａ≧１０，０００）か否かを判断し（ステップＳＴ８）、１０，０００円以下であればインデックスｉを更新し（ｉ＝ｉ＋１）（ステップＳＴ９）、ステップＳＴ３より処理を繰り返す。前記ステップＳＴ８において、予想金額Ａが１０，０００円に達すれば表示用デ−タ４−３をタッチ式表示器２へ表示し、オペレ−タが顧客が提示する預かり金に該当する金額の予想預かり金額の表示部をタッチして選択するのを待つ（ステップＳＴ１０）。
【００１２】
顧客はタッチ式表示器２に表示された請求金額を見るか或いはオペレータからの請求金額が告げられると、該請求金額を満たす金額の現金を預かり金として提示する。オペレ−タは提示された現金に相当する金額が表示された部分をタッチして預かり金額を選択すると、該選択した預かり金額を表示し、釣銭等の会計処理を行い処理を終了する（ステップＳＴ１１）。
【００１３】
また、客のなかには釣銭が細かくならないように金額を支払う場合がある。図１に示した例では３０５１円を支払い７００円の釣銭を要求する場合がある。このように客が下２桁の小銭を用意した場合は下２桁のタッチ部２−２をタッチすることにより預かり予想金額の下２桁がゼロの各金額に請求金額の下２桁を加算し（図の例では５１円）表示する。下１桁のタッチ部２−１も同様に１桁の小銭に対して使用される。
【００１４】
なお、上記実施例では１０，０００円までの予想を行っているが同様な方法で任意に拡大することができる。また、表示された預かり予想金額以外の支払額に対しては従来通りキ−ボ−ド３を操作して会計を行う。
【００１５】
以上述べたように本実施の形態例によればタッチ式表示器の表示画面に預かり予想金額が表示されるので、オペレ−タは顧客が提示した現金の金額に相当する金額が表示された部分を指でタッチするだけで、預かり金額を入力することができ、操作が簡単で間違いも少なくなり、能率も上がる。
【００１６】
【発明の効果】
以上説明したように本発明によれば、会計時、請求金額と該請求金額に対して顧客が提示すると予測される予測預かり金額を複数通りタッチ式表示器に表示し、現実に顧客が提示した預かり金額に該当する金額の予測預かり金額が表示された表示部をタッチすることにより、当該予測預かり金額を預かり金額として入力できるので、預かり金額をワンタッチで入力することができるので、預かり金をワンタッチで入力することができ、操作が簡単で間違いも少なくなり能率も向上するという効果が得られる。また、タッチすると予測預かり金額のうち下位２桁がゼロの各金額に請求金額の下位２桁を加算して表示する下位２桁キーと、タッチすると予測預かり金額のうち下位１桁がゼロの各金額に請求金額の下位１桁を加算して表示する下位１桁キーとを設けたので、釣銭が細かくならないように預かり金額を提示する顧客の要望にも応えることができるという効果も得られる。
【図面の簡単な説明】
【図１】本発明のＰＯＳ装置の預かり予想金額表示例を示す図である。
【図２】図２（ａ）は預かり金額をタッチ式表示器に表示するフロー及び会計処理を行うフロ−を示す図、図２（ｂ）は単位額テーブル例を示す図、図２（ｃ）は表示用データ例を示す図である。
【図３】本発明のＰＯＳ装置の構成例を示す図である。
【符号の説明】
１          ＣＰＵ
２          タッチ式表示器
３          キ−ボ−ド
４          メモリ
４−１      プログラム
４−２      単位額テ−ブル
４−３      表示用デ−タ
５          インタフェ−ス
【図１】
0003923593.tif 000002
【図２】
0003923593.tif 000003
【図３】
0003923593.tif 000004